(57)【要約】【課題】電力消費量が低減されつつ、且つ、高品位なファインダとしてのライブビューを実現可能な撮像装置を提供すること。【解決手段】被写体を撮像フレームレートに基づき撮像し、画像データを取得する撮像手段と、前記画像データから、撮像フレーム間の補間画像データを生成する補間画像データ生成手段と、前記画像データを、または、前記画像データ及び前記補間画像データを、表示フレームレートに基づき表示する表示手段と、を備え、前記表示手段は、前記撮像フレームレートが前記表示フレームレートより低く設定された際、所定の条件を満たす場合に、前記画像データ及び前記補間画像データを表示し、所定の条件を満たさない場合に、前記画像データを表示することを特徴とする。【選択図】図６
2011030084.tif 000002
【特許請求の範囲】
【請求項１】
被写体を撮像フレームレートに基づき撮像し、画像データを取得する撮像手段と、
前記画像データから、撮像フレーム間の補間画像データを生成する補間画像データ生成手段と、
前記画像データを、または、前記画像データ及び前記補間画像データを、表示フレームレートに基づき表示する表示手段と、を備え、
前記表示手段は、前記撮像フレームレートが前記表示フレームレートより低く設定された際、
所定の条件を満たす場合に、前記画像データ及び前記補間画像データを表示し、
所定の条件を満たさない場合に、前記画像データを表示することを特徴とする撮像装置。
【請求項２】
前記撮像手段を有するレンズユニットと、
前記レンズユニットを着脱可能に保持する本体ユニットとを備え、
前記レンズユニットは、前記画像データを前記本体ユニットに送信し、
前記本体ユニットは、前記補間画像データ生成手段と前記表示手段とを有することを特徴とする請求項１に記載の撮像装置。
【請求項３】
前記表示手段は、フレーミング中に前記画像データ及び前記補間画像データを表示することを特徴とする請求項１または２に記載の撮像装置。
【請求項４】
前記表示手段は、当該表示手段が節電モードではないときに前記画像データ及び前記補間画像データを表示することを特徴とする請求項１または２に記載の撮像装置。
【請求項５】
光学式による焦点調節手段を備え、
前記表示手段は、前記焦点調節手段が焦点調節しているときに前記画像データ及び前記補間画像データを表示することを特徴とする請求項１または２に記載の撮像装置。
【請求項６】
光学式もしくは電子式による焦点距離変更手段を備え、
前記表示手段は、前記焦点距離変更手段が焦点距離変更しているときに前記画像データ及び前記補間画像データを表示することを特徴とする請求項１または２に記載の撮像装置。
【請求項７】
当該撮像装置が水平であるか否かを検出する水準器手段を備え、
前記表示手段は、前記水準器手段が動作中に前記画像データ及び前記補間画像データを表示することを特徴とする請求項１または２に記載の撮像装置。
【請求項８】
当該撮像装置の各種設定を切り替えるセットアップ手段を備え、
前記表示手段は、前記セットアップ手段により設定された場合に前記画像データ及び前記補間画像データを表示することを特徴とする請求項１または２に記載の撮像装置。
【発明の詳細な説明】
【技術分野】
【０００１】
本発明は、電力消費量が低減された撮像装置に関するものである。
【背景技術】
【０００２】
近年のデジタルカメラにおいて、撮影範囲を見定めて構図決定を行うファインダは、光学式ではなく、背面の画像モニターを用いたライブビューが主流となり、デジタルカメラならではの機能として知られている。
【０００３】
また、デジタルカメラは、搭載されるバッテリの電力を利用して行われるように構成されており、電力消費量が増加すると、撮影可能枚数が減少する。
このため、バッテリの電力を有効活用し、撮影可能枚数を増加させるには、電力消費量を減少させる必要があり、特にライブビュー中の電力消費量を低減させることが望まれている。
【０００４】
そこで特許文献１には、撮影者がライブビューを視認しつつ撮影操作を行う場合は表示部のフレームレートを高く設定し、撮影操作を行わない場合には、表示部のフレームレートを低く設定することで電力消費量を低減させるデジタルカメラが開示されている。また、バッテリ残量に応じてフレームレートを低下させたり、露光時間に応じてフレームレートを低下させたりすることが開示されている。
【０００５】
ところで、撮影レンズと固体撮像素子とを一体化したレンズユニットをカメラ本体ユニットに着脱できるようにすることで、撮影レンズの交換時に固体撮像素子を露呈させず固体撮像素子の撮像面へのゴミ付着を防止した撮像システムが知られている。この撮像システムでは、レンズユニットとカメラ本体ユニットとを接点にて電気的に接続した伝送路により、画像信号や制御信号をお互いに送受信する。
【０００６】
このような構成の撮像システムでも、同様にカメラ本体ユニットにある液晶モニターでのライブビューがファインダとして使用され、撮影画像を液晶モニターに表示したり、メモリカードに記録したりするために、固体撮像素子によって取得した画像データをレンズユニットからカメラ本体ユニットに転送するが、その伝送路の消費電力が大きいという問題がある。
より詳しくは、このような構成をとった場合、レンズユニットとカメラ本体ユニットとの間で伝送されるデータの量を、伝送路のバス幅に収めねばならないという問題がある。即ち、レンズユニットの固体撮像素子の解像度が高くなると、レンズユニットとカメラ本体ユニットとの間で伝送しなければならないデータ量を伝送路のバス幅に収めるため、レンズユニットで予め画像データの圧縮を行なうことが好ましく、ユニット間データ通信量の低減が必要になる。また、動画の撮影の場合においても同様の問題がある。
【０００７】
これらの理由により、撮影レンズと固体撮像素子とを一体化し、このレンズユニットをカメラ本体ユニットに着脱できる撮像システムにおいては、レンズユニットにて画像データの圧縮または間引きを行いユニット間のデータ通信量を低減する技術が研究開発されている。
例えば、特許文献２には、省電力化を図る目的で、レンズユニットにてデータ量の大きい画素を間引いた間引き画像データを本体ユニットへ転送するようにして、データ転送にかかる電力消費を抑える撮像システムが開示されている。
また、特許文献３には、カメラモジュールに持つフレームバッファメモリの大きさを大幅に低減する目的で、カメラモジュールにて画像データを圧縮し、その画像データの圧縮を画像の数行単位でのＦＩＦＯ（Ｆｉｒｓｔ  Ｉｎ  Ｆｉｒｓｔ  Ｏｕｔ）順序で行ない、ホストモジュールへ送信する技術が開示されている。
【発明の概要】
【発明が解決しようとする課題】
【０００８】
しかしながら、特許文献１に記載のデジタルカメラでは、フレームレートの低下（例えば１５ｆｐｓ）により電力消費量は低下するが、ライブビューには滑らかさがなくなり、一般的なテレビ画像（３０〜６０ｆｐｓ）と比較してカクカクするライブビューとなる。デジタルカメラのフレームレートは、撮影シーンによっては操作性に大きく影響を及ぼす場合があり、例えば、動きのある被写体を撮影する時にフレームレートが低いと、被写体の動きにライブビューが追従できず構図決定が困難になり、シャッタチャンスを逃してしまうという問題があった。あるいは、特許文献１に記載のデジタルカメラでは、フレームレートを一般的なテレビ画像と同等なもの（３０〜６０ｆｐｓ）にすると、電力消費量を充分に低減させることができず、撮影可能枚数が減少してしまうという問題があった。
【０００９】
従って本発明は、電力消費量が低減されつつ、且つ、高品位なファインダとしてのライブビューを実現可能な撮像装置を提供することを第一の課題とする。
【００１０】
また、上記特許文献２及び特許文献３に記載の技術では、ライブビューのような１秒間に数十〜６０フレーム程度の画像データが次々とレンズユニットからカメラ本体ユニットへ送られる場合に、カメラ本体ユニットでは、レンズユニットからの送信タイミングで、これら全ての画像データについて伸張、画像処理、ライブビューの表示処理を行うので、伝送路の駆動周波数をそれに合わせる必要があり、かつカメラ本体ユニットでの画像処理タイミングもそれに合わせる必要があり、結果として本体ユニットへの負担も大きくなるために、消費電力を充分に低減できないという問題があった。
【００１１】
従って本発明は、撮像素子を有するレンズユニットが本体ユニットに着脱可能であるカメラシステムの場合においても、電力消費量が低減されつつ、且つ、高品位なファインダとしてのライブビューを実現可能な撮像装置を提供することを第二の課題とする。
【課題を解決するための手段】
【００１２】
上記課題を解決するために本発明に係る撮像装置は、具体的には下記（１）〜（８）に記載の技術的特徴を有する。
（１）：被写体を撮像フレームレートに基づき撮像し、画像データを取得する撮像手段と、前記画像データから、撮像フレーム間の補間画像データを生成する補間画像データ生成手段と、前記画像データを、または、前記画像データ及び前記補間画像データを、表示フレームレートに基づき表示する表示手段と、を備え、前記表示手段は、前記撮像フレームレートが前記表示フレームレートより低く設定された際、所定の条件を満たす場合に、前記画像データ及び前記補間画像データを表示し、所定の条件を満たさない場合に、前記画像データを表示することを特徴とする撮像装置である。
（２）：前記撮像手段を有するレンズユニットと、前記レンズユニットを着脱可能に保持する本体ユニットとを備え、前記レンズユニットは、前記画像データを前記本体ユニットに送信し、前記本体ユニットは、前記補間画像データ生成手段と前記表示手段とを有することを特徴とする上記（１）に記載の撮像装置である。
（３）：前記表示手段は、フレーミング中に前記画像データ及び前記補間画像データを表示することを特徴とする上記（１）または（２）に記載の撮像装置である。
（４）：前記表示手段は、当該表示手段が節電モードではないときに前記画像データ及び前記補間画像データを表示することを特徴とする上記（１）または（２）に記載の撮像装置である。
（５）：光学式による焦点調節手段を備え、前記表示手段は、前記焦点調節手段が焦点調節しているときに前記画像データ及び前記補間画像データを表示することを特徴とする上記（１）または（２）に記載の撮像装置である。
（６）：光学式もしくは電子式による焦点距離変更手段を備え、前記表示手段は、前記焦点距離変更手段が焦点距離変更しているときに前記画像データ及び前記補間画像データを表示することを特徴とする上記（１）または（２）に記載の撮像装置である。
（７）：当該撮像装置が水平であるか否かを検出する水準器手段を備え、前記表示手段は、前記水準器手段が動作中に前記画像データ及び前記補間画像データを表示することを特徴とする上記（１）または（２）に記載の撮像装置である。
（８）：当該撮像装置の各種設定を切り替えるセットアップ手段を備え、前記表示手段は、前記セットアップ手段により設定された場合に前記画像データ及び前記補間画像データを表示することを特徴とする上記（１）または（２）に記載の撮像装置である。
【発明の効果】
【００１３】
本発明によれば、電力消費量が低減されつつ、且つ、高品位なファインダとしてのライブビューを実現可能な撮像装置を提供することができる。
【図面の簡単な説明】
【００１４】
【図１】本発明に係る撮像装置の第１の実施形態であるデジタルカメラの構成を示す概略前面図である。
【図２】本発明に係る撮像装置の第１の実施形態であるデジタルカメラの構成を示す概略背面図である。
【図３】本発明に係る撮像装置の第１の実施形態であるデジタルカメラの制御系統の構成を示すブロック図である。
【図４】本発明に係る撮像装置の第１の実施形態であるデジタルカメラにおける動きベクトル検出部の概念図である。
【図５】従来のデジタルカメラにおいてハイフレーム化処理が行われない場合のライブビューのタイミングチャートを示すチャート図である。
【図６】本発明に係る撮像装置の第１の実施形態であるデジタルカメラにおいてハイフレーム化処理が行われた場合のライブビューのタイミングチャートを示すチャート図である。
【図７】実施例１のフローチャートである。
【図８】被写体にピントを合わせた後に構図を決定することを説明するための概念図である。
【図９】実施例２のフローチャートである。
【図１０】ズームを使っている場合を説明するための概念図である。
【図１１】実施例３のフローチャートである。
【図１２】実施例４のフローチャートである。
【図１３】電子水準器機能を用いて水平状態を確認することを説明するための概念図である。
【図１４】画像モニター９に表示されるセットアップメニューの概念図である。
【図１５】本発明に係る撮像装置の第２の実施形態であるデジタルカメラの構成を示す概略外観図である。
【図１６】本発明に係る撮像装置の第２の実施形態であるデジタルカメラの制御系統の構成を示すブロック図である。
【図１７】従来のデジタルカメラにおいてハイフレーム化処理が行われない場合のライブビューのタイミングチャートを示すチャート図である。
【図１８】本発明に係る撮像装置の第２の実施形態であるデジタルカメラにおいてハイフレーム化処理が行われた場合のライブビューのタイミングチャートを示すチャート図である。
【発明を実施するための形態】
【００１５】
本発明に係る撮像装置は、被写体を撮像フレームレートに基づき撮像し、画像データを取得する撮像手段と、前記画像データから、撮像フレーム間の補間画像データを生成する補間画像データ生成手段と、前記画像データを、または、前記画像データ及び前記補間画像データを、表示フレームレートに基づき表示する表示手段と、を備え、前記表示手段は、前記撮像フレームレートが前記表示フレームレートより低く設定された際、所定の条件を満たす場合に、前記画像データ及び前記補間画像データを表示し、所定の条件を満たさない場合に、前記画像データを表示することを特徴とする。
次に、本発明に係る撮像装置についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００１６】
〔第１の実施形態〕
図１は、本発明に係る撮像装置の第１の実施形態であるデジタルカメラの構成を示す概略前面図である。
この撮像装置は、レンズを通った光を固体撮像素子で受け、固体撮像素子のアナログ信号をデジタル信号に変換してメモリカードに記録するデジタルカメラである。
【００１７】
デジタルカメラ本体３０の前面（図１）には、「POWER（電源）ボタン１」、「シャッターボタン２」、「フラッシュ発光部３」、「AF補助光／セルフタイマーランプ４」、「レンズカバー５」、「マイク６」、「スピーカー７」、「レンズ８」が配置されている。
【００１８】
図２は、図１に示したデジタルカメラ３０の概略背面図である。
デジタルカメラ３０の背面（図２）には、「画像モニター９」、「ズームレバー（望遠）／（広角）１０」、「モード切替スイッチ１１」、「再生ボタン１２」、「ADJ.ボタン１３」、「削除／セルフタイマーボタン１４」、「↑／MODEボタン１５」、「→／クイックレビューボタン１６」、「MENU／OKボタン１７」、「↓／マクロボタン１８」、「←／フラッシュボタン１９」、「DISP.ボタン２０」、「AV出力端子２１」、「USB端子２２」、「三脚ネジ穴２３」、「バッテリ／カードカバー２４」が配置されている。
【００１９】
バッテリ／カードカバー２４を開けると、バッテリ挿入部とカード挿入部が設けられており、ここにバッテリとメモリカードが装填される。
【００２０】
モード切替スイッチ１１は、２ポジションのスライドスイッチで構成されており、その位置によりデジタルカメラ３０のモードを設定できる。静止画撮影や動画撮影などのカメラの操作は、このモード切替スイッチ１１を切り替えてから行う。デジタルカメラ３０のモードは、「シーンモード」、「静止画撮影モード」の２種類ある。
【００２１】
「静止画撮影モード」は、静止画を撮影するときに使用し、「シーンモード」は、「ポートレートモード」、「フェイスモード」、「スポーツモード」、「遠景モード」、「夜景モード」、「高感度モード」、「ズームマクロモード」、「白黒モード」、「セピアモード」、「斜め補正モード」、「文字モード」、「動画撮影モード」などがある。
【００２２】
再生ボタン１２は、デジタルカメラ３０のモードを「再生モード」へ指示するボタンとして機能する。撮影モード時、このボタンが押されると、最後に撮った静止画が画像モニター９に表示される。
【００２３】
レンズ８は、沈胴式のズームレンズで構成されており、POWER（電源）ボタン１によりカメラの電源が投入され、モード切替スイッチ１１によりカメラのモードを撮影モードに設定することにより、デジタルカメラ３０から繰り出される。
【００２４】
ズームレバー（望遠）／（広角）１０は、シャッターボタン２の周囲にある３ポジションのレバーで構成されており、レンズ８のズームを指示する手段として機能する。デジタルカメラ３０は、撮影モード時のこのズームレバー（望遠）／（広角）１０を望遠側に操作すると、レンズ８は望遠側へのズームを行い、ズームレバー（望遠）／（広角）１０を広角側に操作すると、レンズ８は広角側へのズームを行い、レンズ８の焦点距離を変化させる。また、再生モード時には、ズームレバー（望遠）／（広角）１０を広角側へ操作すると、再生中の画像が縮小表示され、ズームレバー（望遠）／（広角）１０を望遠側へ操作すると、再生中の画像が拡大され、再生した画像の表示倍率を変化させる。
【００２５】
シャッターボタン２は、２段式のスイッチで構成されており、半押し操作と押し切り操作が可能である。デジタルカメラ３０は、このシャッターボタン２の半押し操作により、ＡＥ／ＡＦが作動し、押し切り操作により、ＡＷＢが作動し撮影を実行する。
【００２６】
画像モニター９は、カラー表示が可能な液晶ディスプレイで構成されており、再生モード時には撮影済み画像を表示するための画像表示パネルとして利用されるとともに、各種設定操作を行なう際のユーザインターフェース表示パネルとして利用される。また、撮影モード時には、必要に応じてライブビューが表示されて、画角確認用のファインダとして利用される。
【００２７】
「↑／MODEボタン１５」、「→／クイックレビューボタン１６」、「↓／マクロボタン１８」、「←／フラッシュボタン１９」は、上下左右４方向の指示を入力する方向指示手段として機能し、たとえば、メニュー画面でメニュー項目の選択などに使用される。
【００２８】
MENU／OKボタン１７は、各モードの通常画面からメニュー画面への遷移を指示するボタン（ＭＥＮＵボタン）として機能するととともに、選択内容の確定、処理の実行等を指示するボタン（ＯＫボタン）として機能する。
【００２９】
DISP.ボタン２０は、画像モニター９のマークの表示／非表示を切り替えるなど、画面の表示状態の変更を指示するボタンとして機能する。撮影モード時、このボタンを１回押されるごとに、ヒストグラム表示→グリッドガイド表示→表示なし→画像モニターオフ→通常のマーク表示→ヒストグラム表示→・・・と切り替えられる。再生モード時、このボタンを１回押されるごとに、ヒストグラム表示→ハイライト表示→表示なし→通常のマーク表示→ヒストグラム表示→・・・と切り替えられる。また、このボタンは、入力操作のキャンセルや一つ前の操作状態に戻すことを指示するボタンとしても機能する。
【００３０】
図３は、デジタルカメラ３０内部の制御系統の構成例を示す。
デジタルカメラ３０は、全体の動作を中央処理装置（ＣＰＵ４０）によって統括制御されている。
ＣＰＵ４０は、操作部４１（POWER（電源）ボタン１、シャッターボタン２、ズームレバー（望遠）／（広角）１０、モード切替スイッチ１１、再生ボタン１２、ADJ.ボタン１３、削除／セルフタイマーボタン１４、↑／MODEボタン１５、→／クイックレビューボタン１６、MENU／OKボタン１７、↓／マクロボタン１８、←／フラッシュボタン１９、DISP.ボタン２０）から入力される操作信号に基づき所定の制御プログラムに従ってデジタルカメラ３０の全体を統括制御する。
【００３１】
バスを介してＣＰＵ４０と接続されたフラッシュＲＯＭ５８には、ＣＰＵ４０が実行する制御プログラム９０及び制御に必要な各種データ、ユーザ設定情報など（例えば、カメラ調整データ９１、カメラ設定データ９２）のデジタルカメラ３０の動作に関する各種設定情報等が格納されている。
【００３２】
メモリ（ＳＤＲＡＭ５４）は、ＣＰＵ４０の演算作業用領域、画像データ（Ｒａｗ−ＲＧＢ画像データ５５、ＹＵＶ画像データ５６、圧縮伸張画像データ５７）等の一時記憶領域として利用される。
鏡胴ユニット１００は、被写体の光学画像を取り込むズームレンズ８１、フォーカスレンズ８２、それらを制御するレンズ駆動部８６、絞り８３、それらを制御する絞り駆動部８７、メカシャッタ８４、メカシャッタを制御するシャッタ駆動部８８からなる。
【００３３】
レンズ駆動部８６、絞り駆動部８７、シャッタ駆動部８８は、ＣＰＵ４０からの駆動指令により駆動制御される。
【００３４】
デジタルカメラ３０の電源がオン状態になると、制御プログラムはメモリ（ＳＤＲＡＭ５４）にロードされ、ＣＰＵ４０はその制御プログラムに従い装置各部の動作を制御する。それとともに制御に必要なデータ等を、一時的にメモリ（ＳＤＲＡＭ５４）に保存する。
【００３５】
フラッシュＲＯＭ５８は、書き換え可能な半不揮発性メモリなので、制御プログラムや制御に必要な各種データ、ユーザ設定情報を変更することが可能となり、機能のバージョンアップが容易に行えるという特徴をもつ。
【００３６】
デジタルカメラ３０は、モード切替スイッチ１１を撮影位置に合わせることで、撮影モードに設定され、撮影が可能になる。そして、撮影モードに設定されることにより、レンズ８が繰り出され、撮影スタンバイ状態になる。
【００３７】
この撮影モードの下、レンズ８を通過した被写体光は、絞り８３を介して固体撮像素子の受光面に結像される。
【００３８】
固体撮像素子は、ＣＣＤ８５で構成されており、その受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。
【００３９】
レンズ８を通過した被写体光は、各フォトダイオードによって受光され、入射光量に応じた量の信号電荷に変換される。
【００４０】
各フォトダイオードに蓄積された信号電荷は、タイミングジェネレータ（ＴＧ８９）から与えられる駆動パルスに基づいて信号電荷に応じた電圧信号（画像信号）として順次読み出され、アナログ処理部（ＣＤＳ／ＡＭＰ４２）に加えられる。
【００４１】
アナログ処理部（ＣＤＳ／ＡＭＰ４２）は、入力された画素ごとのＲＧＢ信号をサンプリングホールド（相関二重サンプリング処理）するとともに、増幅し、Ａ／Ｄ変換器４３に出力する。
【００４２】
Ａ／Ｄ変換器４３は、アナログ処理部（ＣＤＳ／ＡＭＰ４２）から出力されたアナログＲＧＢ信号をデジタルＲＧＢ信号に変換して出力し、このＡ／Ｄ変換器４３から出力されたデジタルのＲＧＢ信号が、センサ入力制御部４４を介し、Ｒａｗ−ＲＧＢ画像データとしてメモリ（ＳＤＲＡＭ５４）に取り込まれる。
【００４３】
画像信号処理部４６は、メモリ５４に取り込まれたＲａｗ−ＲＧＢ画像データ５５をＣＰＵ４０の指令に従って処理し、輝度信号（Ｙ信号）及び色差信号（Ｃｒ、Ｃｂ信号）へ変換し、ＹＵＶ画像データ５６を生成する。
【００４４】
すなわち、この画像信号処理部４６は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ４０からの指令に従ってメモリ５４を活用しながら入力されたＲＧＢ信号を信号処理することにより、輝度信号及び色差信号（輝度／色差信号）を生成する。生成された輝度／色差信号は、ＹＵＶ画像データ５６としてメモリ（ＳＤＲＡＭ５４）に格納される。
【００４５】
撮影画像を画像モニター９に出力する場合は、ＹＵＶ画像データ５６が、メモリ（ＳＤＲＡＭ５４）からＯＳＤＭＩＸ部４８に送られる。
【００４６】
ＯＳＤＭＩＸ部４８は、入力されたＹＵＶ画像データ５６の輝度／色差信号に文字や図形などのオンスクリーンディスプレイデータを重ね合わせて合成され、ビデオエンコーダ６５および画像モニター信号処理部４９に出力する。これにより、所要の撮影情報等が画像データに重ねて表示される。
【００４７】
ビデオエンコーダ６５は、入力されたＹＵＶ画像データ５６の輝度／色差信号を表示用のデジタル表示出力信号（たとえばＮＴＳＣ方式のカラー複合映像信号）に変換し、Ｄ／Ａ変換器６６にてデジタル表示出力信号をアナログビデオ出力信号に変換する。
【００４８】
ビデオＡＭＰ６７は、Ｄ／Ａ変換器６６から出力されたアナログビデオ信号を、７５Ωインピーダンス変換し、テレビなどの外部表示機器と接続するためのＡＶ出力端子２１へ出力する。これにより、ＣＣＤ８５で撮像された画像がテレビなどの外部表示機器に表示される。
【００４９】
一方、画像モニター信号処理部４９は、入力されたＹＵＶ画像データ５６の輝度／色差信号を画像モニター９の入力信号形式であるＲＧＢ信号へ変換し、画像モニター９へ出力する。これにより、ＣＣＤ８５で撮像された画像が画像モニター９に表示される。
【００５０】
ＣＣＤ８５から画像信号を定期的に取り込み、その画像信号から生成される輝度／色差信号によってメモリ（ＳＤＲＡＭ５４）内のＹＵＶ画像データ５６を定期的に書き換え、画像モニター９およびＡＶ出力端子２１に出力することにより、ＣＣＤ８５で撮像される画像がリアルタイムに表示される。撮影者は、この画像モニター９にリアルタイムに表示される画像（ライブビュー）を見ることにより、撮影画角を確認することができる。
【００５１】
撮影はシャッターボタン２の押下によって行なわれる。撮影に先立ち、撮影者は、画角を調整する必要があるとき、ズームレバー（望遠）／（広角）１０を操作し、ズームレンズ８１をズーミングさせて画角を調整する。
【００５２】
シャッターボタン２が半押しされると、Ｒ１オン信号がＣＰＵ４０に入力され、ＣＰＵ４０はＡＥ／ＡＦ処理を実施する。
【００５３】
まず、センサ入力制御部４４を介してＣＣＤ８５から取り込まれた画像信号がＡＦ検出部５１並びにＡＥ／ＡＷＢ検出部５２に入力される。
【００５４】
ＡＥ／ＡＷＢ検出部５２は、１画面を複数のエリア（例えば、１６×１６）に分割し、分割エリアごとにＲ、Ｇ、Ｂ信号を積算する回路を含み、その積算値をＣＰＵ４０に提供する。
【００５５】
ＣＰＵ４０は、ＡＥ／ＡＷＢ検出部５２から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従いＣＣＤ８５の電子シャッタと絞り駆動部８７を制御して適正な露光量を得る。
【００５６】
また、ＡＥ／ＡＷＢ検出部５２は、自動ホワイトバランス調整時、分割エリアごとにＲ、Ｇ、Ｂ信号の色別の平均積算値を算出し、その算出結果をＣＰＵ４０に提供する。ＣＰＵ４０は、得られたＲの積算値、Ｂの積算値、Ｇの積算値から各分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。
【００５７】
そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００５８】
ＡＦ検出部５１は、Ｇ信号の高周波成分のみを通過させるハイパスフィルタ、絶対値化処理部、所定のフォーカスエリア（たとえば、画面中央部）内の信号を切り出すＡＦエリア抽出部及びＡＦエリア内の絶対値データを積算する積算部から構成され、ＡＦ検出部で求めた積算値のデータはＣＰＵ４０に通知される。ＣＰＵ４０は、レンズ駆動部８６を制御してフォーカスレンズ８２を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ８２が移動するように、レンズ駆動部８６を制御する。
【００５９】
以上のように、シャッターボタン２の半押しによって、ＡＥ／ＡＦ処理が行なわれる。
【００６０】
この後、撮影者はシャッターボタン２を押し切ると、ＣＰＵ４０にＲ２オン信号が入力され、ＣＰＵ４０は、撮影、記録処理を開始する。すなわち、ＣＰＵ４０は測光結果に基づき決定された絞り値に従い、絞り駆動部８７を制御して絞り８３を動かし、シャッタ速度値に従い、シャッタ駆動部８８を制御してメカシャッタ８４の開閉動作を制御してＣＣＤ８５の露光時間を制御することにより、ＣＣＤ８５を露光する。
【００６１】
ＣＣＤ８５から出力された画像信号は、アナログ処理部（ＣＤＳ／ＡＭＰ）４２、Ａ／Ｄ変換器４３、センサ入力制御部４４を介してメモリ（ＳＤＲＡＭ５４）に取り込まれ、画像信号処理部４６において輝度／色差信号に変換されたのち、ＹＵＶ画像データ５６としてメモリ（ＳＤＲＡＭ５４）に格納される。
【００６２】
メモリ（ＳＤＲＡＭ５４）に格納されたＹＵＶ画像データ５６は、圧縮伸張処理部４７に加えられ、所定の圧縮フォーマット（たとえばＪＰＥＧ形式）に従って圧縮された後、再びメモリ（ＳＤＲＡＭ５４）に圧縮伸張画像データとして格納され、所定の画像記録フォーマット（たとえばＥｘｉｆ形式）の画像ファイルとされたのち、カード制御部５０を介してメモリカード２９（たとえばＳＤカード）に記録される。
【００６３】
以上のようにしてメモリカード２９に記録された画像は、（再生）ボタンの押下により、画像モニター９で再生表示させることができる。
【００６４】
（再生）ボタンの押下により、デジタルカメラ３０のモードを再生モードに設定すると、ＣＰＵ４０は、カード制御部５０にコマンドを出力し、メモリカード２９に最後に記録された画像ファイルを読み出させる。
【００６５】
読み出された画像ファイルの圧縮画像データは、圧縮伸張処理部４７に加えられ、非圧縮の輝度／色差信号に伸張されたのち、ＯＳＤＭＩＸ部４８および画像モニター信号処理部４９を介して画像モニター９に出力される。これにより、メモリカード２９に記録されている画像が画像モニター９に再生表示される。
【００６６】
また、パソコンなどの外部機器とＵＳＢ通信を行うには、ＵＳＢ端子２２を介して接続を行い、ＣＰＵ４０は、ＵＳＢ制御部５９を制御することにより、ＵＳＢ通信を行う。
【００６７】
シャッタ音、操作音などの音声信号データはフラッシュＲＯＭ５８に格納されており、ＣＰＵ４０が音声信号処理部４５を制御し、この音声データを音声信号処理部４５を介してオーディオＣＯＤＥＣ５１へ出力する。
【００６８】
オーディオＣＯＤＥＣ５１は、入力された音声信号を増幅するマイクアンプや、スピーカー７を駆動するためのオーディオアンプが内蔵されており、このオーディオＣＯＤＥＣ５１には、撮影者が音声信号を入力するマイク６、音声信号を出力するスピーカー７が接続されており、これにより音声信号は、スピーカー７から出力される。
【００６９】
図４は、動きベクトル検出部の概念図を示す。
本実施形態における動きベクトル検出部５３は、ブロック・マッチング法により動きベクトルを求める方法により画像の動きベクトルを検出する。
【００７０】
動きベクトル検出部５３は、動きベクトルを検出する基準となるフレームＰ１、Ｐ２画像をＬ×Ｌブロック（図４では１０×１０ブロック）に分割し、ブロック内の輝度情報を用いて、基準フレームＰ１における注目ブロックｂ１を中心とした矩形領域（参照ブロック）と、現画像Ｐ２における矩形領域（候補ブロック）の間で対応する画素どうしの輝度差分をとり、それらの総和を求める。候補ブロックを、Ｌ×Ｌブロックの範囲内（探索領域）で動かしながら先の処理を繰り返し、探索領域の中で最も輝度差の総和が小さい候補ブロックｂ２を求め、これを一致領域として参照ブロックとの位置のずれを動きベクトルとする。
【００７１】
ＣＰＵ４０によるハイフレーム化処理について説明する。フレームＰ１、Ｐ２を用いて補間フレームＰｔを生成する場合、各フレーム内の位置（ｘ，ｙ）における画素値をｆ１（ｘ，ｙ）、ｆ２（ｘ，ｙ）、ｆｔ（ｘ，ｙ）、上記動きベクトル量をＭＶ＝（ｄｘ，ｄｙ）とすると、下記式（１）が成立する。
【００７２】
ｆ１（ｘ＋ｄｘ，ｙ＋ｄｙ）＝ｆ２（ｘ，ｙ）  ・・・式（１）
【００７３】
フレーム間の経過時間はＣＣＤからの取り込みフレームレート（撮像フレームレート；単位時間あたりの撮像フレーム数）に依存し等速なので、フレーム間では等速直線運動と仮定することができるので、下記式（２）となる。
【００７４】
ｆｔ（ｘ＋ｄｘ／２、ｙ＋ｄｙ／２）＝ｆ２（ｘ，ｙ）  ・・・式（２）
【００７５】
この式（２）にしたがってＣＰＵ４０はフレームＰ２の画素値ｆ２を補間フレームの画素値とすることで、補間画像Ｐｔを求める。
補間画像Ｐｔを求めるときに、一致した部分から画像を生成していき、不一致領域についてはその不一致領域に注目して再度動きベクトルを求めることで、補間画像Ｐｔの補間画像を完成させる。
また、画像データの割り当ては、動きベクトルに従い、画像データを補間画像Ｐｔの各画素に割り当てていく。画像データが割り当てられなかった画素は、周辺あるいは隣接フレームの画素から割り当てをおこなう。
【００７６】
このようにして、複数枚の画像より動きベクトルを検出し、画像間の動き量にあわせた補間フレームを生成して画像モニターへ表示することで、なめらかな表示のライブビューを実現する。
【００７７】
ライブビュー処理を図５、図６を使って説明する。図５はハイフレーム化処理を行わない従来技術による処理を、図６はハイフレーム化処理を行った場合の処理を示している。
【００７８】
ＣＣＤＶＤは、タイミングジェネレータ（ＴＧ８９）から与えられる駆動パルスで、ＣＣＤ８５を駆動する垂直同期信号である。この例では、ＴＧ８９は、１／１５秒のタイミングでＣＣＤ８５へ駆動パルスを与え、ＣＣＤ８５からのデジタルＲＧＢ信号が１５ｆｐｓのフレームレートでＣＣＤ８５から出力されるように駆動している。
【００７９】
ＤＩＳＰＶＤは、画像モニター９に与える駆動パルスで、画像モニター９を駆動する垂直同期信号である。この例では、画像モニター信号処理部４９は、１／３０秒のタイミングで画像モニター９へ駆動パルスを与え、画像モニター信号処理部４９でＹＵＶ画像データ５６の輝度／色差信号を画像モニター９の入力信号形式へ変換したＲＧＢ信号が、３０ｆｐｓのフレームレートで画像モニター９へ出力されるように駆動している。
【００８０】
Ｐ１、Ｐ２、Ｐ３、Ｐ４、Ｐ５は画像データであり、ＣＣＤ露光処理では電圧信号（画像信号）、ＣＣＤからの画像信号取り込み処理ではＲａｗ−ＲＧＢ画像データ５５、画像処理ではＹＵＶ画像データ５６、表示処理では、ＲＧＢ信号である。
【００８１】
図５のハイフレーム化処理を行わない場合を説明する。
タイミングＴ１〜Ｔ２：ＣＣＤ８５の露光を１／１５秒間行い、Ｐ１の電圧信号（画像信号）を得る。
【００８２】
タイミングＴ２〜Ｔ３：ＣＣＤ８５からの画像信号の取り込み処理を１／１５秒期間行い、センサ入力制御部４４を介して、Ｒａｗ−ＲＧＢ画像データＰ１をメモリ５４へ取り込む。同時にＣＣＤ８５の露光も行い、Ｐ２の電圧信号（画像信号）を得る。
このようにＣＣＤ８５の露光処理および画像信号の取り込み処理は１／１５秒単位に連続して行われる。
【００８３】
次にＰ１画像のライブビューまでのステップに注目して説明する。
タイミングＴ３〜Ｔ４：画像信号処理部４６はメモリ５４に取り込まれたＲａｗ−ＲＧＢ画像データＰ１を処理してＹＵＶ画像データＰ１を生成する。
【００８４】
タイミングＴ５〜Ｔ６：画像モニター信号処理部４９はＹＵＶ画像データＰ１をＲＧＢ信号へ変換し画像モニター９へ出力して画像データＰ１を表示する。画像信号処理部４６は、画像データＰ２の取り込み処理が終了すると直ちに画像データＰ２からＹＵＶ画像データＰ２を生成する。
【００８５】
以下画像データＰ２、Ｐ３・・・を画像モニターへ順次表示することでライブビューを実現する。
【００８６】
図５のようにハイフレーム化処理を行わない場合、画像モニターの表示フレームレート（単位時間あたりの表示フレーム数）は３０ｆｐｓの能力を持つが、入力される画像（Ｐ１、Ｐ２・・・）のフレームレートに拘束され、実際はフレームレート１５ｆｐｓでライブビューが行われる。
【００８７】
次に図６のハイフレーム化処理が行われた場合について説明する。
タイミングＴ１１〜Ｔ１２：ＣＣＤ８５の露光を１／１５秒間行い、Ｐ１の電圧信号（画像信号）を得る。
【００８８】
タイミングＴ１２〜Ｔ１３：ＣＣＤ８５からの画像信号Ｐ１の取り込み処理を１／１５秒期間行い、センサ入力制御部４４を介して、Ｒａｗ−ＲＧＢ画像データＰ１をメモリ５４へ取り込む。同時にＣＣＤ８５の露光も行い、Ｐ２の電圧信号（画像信号）を得る。
【００８９】
タイミングＴ１３〜Ｔ１５：ＣＣＤ８５からの画像信号Ｐ２の取り込み処理を１／１５秒期間行い、センサ入力制御部４４を介して、Ｒａｗ−ＲＧＢ画像データＰ２をメモリ５４へ取り込む。同時にＣＣＤ８５の露光も行い、Ｐ３の電圧信号（画像信号）を得る。このようにＣＣＤ８５の露光処理および画像信号の取り込み処理は１／１５秒単位に連続して行われる。
【００９０】
次にＰ１画像のライブビューとハイフレーム化処理までのステップに注目して説明する。
【００９１】
タイミングＴ１３〜Ｔ１４：画像信号処理部４６はメモリ５４に取り込まれたＲａｗ−ＲＧＢ画像データＰ１を処理してＹＵＶ画像データＰ１を生成する。
【００９２】
タイミングＴ１５〜Ｔ１６：画像信号処理部４６はメモリ５４に取り込まれたＲａｗ−ＲＧＢ画像データＰ２を処理してＹＵＶ画像データＰ２を生成する。
【００９３】
タイミングＴ１５〜Ｔ１７：画像モニター信号処理部４９はＹＵＶ画像データＰ１をＲＧＢ信号へ変換し画像モニター９へ出力して画像データＰ１を表示する。
【００９４】
タイミングＴ１６〜Ｔ１７：ＣＰＵ４０はＹＵＶ画像データＰ１およびＰ２を使用して、前述した動きベクトル検出処理と補間フレーム画像生成処理を行い、補間フレーム画像データＰｔ１を生成する。
【００９５】
タイミングＴ１７〜Ｔ１８：画像モニター信号処理部４９はＹＵＶ画像データＰｔ１をＲＧＢ信号へ変換し画像モニターへ出力して表示する。
【００９６】
以下画像データＰ２、Ｐｔ２、Ｐ３、Ｐｔ３・・・を画像モニターへ順次表示することでライブビューを実現する。
【００９７】
図６のようにハイフレーム化処理を行った場合、入力される画像（Ｐ１、Ｐ２・・・）のフレームレートに拘束されず、画像モニターの表示フレームレート３０ｆｐｓを生かしたライブビューが行われる。
【００９８】
このように電力消費量を削減しながらも高品位なファインダとしてのライブビューを提供することができる。
【実施例】
【００９９】
（実施例１）
上述した本実施形態に係るデジタルカメラを好適に実施する実施例１について説明する。
図７は、実施例１のフローチャートを示す。また、図８は被写体にピントを合わせた後に構図を決定することを説明するための概念図である。
本実施例は、シャッターボタン２の半押しによって、ＡＥ／ＡＦ処理を行うとき、さらに被写体にピントを合わせた状態で背景を撮りたい場合などは、シャッターボタン２の半押しのままカメラを動かして構図を決定する期間を撮影者が構図決定を行う期間と考え（図８）、シャッターボタン２の半押しを基点にシャッターボタンを押しきり撮影するまでの期間（フレーミング中）のみハイフレーム化処理を行うようにした。
【０１００】
先ず、カメラの電源が投入され、撮影モード時には、必要に応じてライブビューが表示される。電源投入直後のライブビューは、電力消費量を削減するために、ハイフレーム化を行わない。（ステップＳ１０１）
【０１０１】
ＣＰＵ４０は、シャッターボタン２の半押しを検出すると、ＡＥ／ＡＦ処理が行なわれるが、それに先立ち、動きベクトル検出部５３を用いてライブビューをハイフレーム化し（ステップＳ１０２、Ｓ１０３）、ＡＥ／ＡＦ処理が行われる。（ステップＳ１０４）
【０１０２】
ＣＰＵ４０は、ステップＳ１０４でＡＥ／ＡＦ処理が行われたのち、さらにシャッターボタン２の半押しが継続されているか否かを検出し（ステップＳ１０５）、継続されていなければハイフレーム化を終了し（Ｓ１０１）、継続されていれば、シャッターボタンを押し切ったか否かを検出する。半押し状態が継続されていれば、図８のようにシャッターボタン２の半押しのままカメラを動かして構図を決定する期間であるため、ライブビューのハイフレーム化を継続したままステップＳ１０５に戻り、シャッターボタンの検出を継続する。（ステップＳ１０６）
【０１０３】
ＣＰＵ４０は、ステップＳ１０６でシャッターボタン２の押し切りを検出すると、撮影、記録処理を開始し、撮影画像がメモリカード２９へ記録される。記録が終了すると、ライブビューは、電力消費量を削減するために、ハイフレーム化を行わない。（ステップＳ１０７）
【０１０４】
以上により、ハイフレームレート化期間をシャッターボタン２の半押しから押し切りまでの期間とすることで、ハイグレームカによる電力消費量をも最小限にし、カメラとしての機能を損なわない高品位なファインダとしてのライブビューを提供する。
【０１０５】
（実施例２）
上述した本実施形態に係るデジタルカメラを好適に実施する実施例２について説明する。
図９は、実施例２のフローチャートを示す。また、図１０はズームを使っている場合を説明するための概念図である。
本実施例は、撮影者は、画角を調整する必要があるとき、ズームレバー（望遠）／（広角）１０を操作し、ズームレンズをズーミングさせて画角を調整する期間を撮影者が構図決定を行う期間と考え（図１０）、ズームレバー（望遠）／（広角）１０の操作を基点にズーミング期間（焦点距離変更手段が焦点距離変更しているとき）のみハイフレーム化処理を行うようにした。
【０１０６】
また、高倍率のズームレンズを搭載している場合（たとえば３５ｍｍ判カメラ換算値で２８ｍｍ〜２００ｍｍなど）、ズームレンズ８１が望遠になると、焦点距離が大きく（画角が狭く）なるためライブビューは手ぶれの影響を受けやすくなる。ライブビューは手ぶれの振動が加味されることで安定感がなくなり、ファインダとしての品位が低下してしまう。
そこで、あるしきい値（本実施例では、３５ｍｍ判カメラ換算値で１０５ｍｍとした）より焦点距離が大きい場合は、ハイフレーム化処理を行いファインダとしての品位を低下させないように構成した。
ズームレバーは広角と望遠の２通りあるが、図９は、広角側のみを説明している。
【０１０７】
先ず、カメラの電源が投入され、撮影モード時には、必要に応じてライブビューが表示される。電源投入直後のライブビューは、電力消費量を削減するために、ハイフレーム化を行わない。（ステップＳ２０１）
【０１０８】
ＣＰＵ４０は、ズームレバー（望遠）／（広角）１０が望遠に回されているのを検出すると、ズームレンズ８１を広角側へズーミングするが、それに先立ち、動きベクトル検出部５３を用いてライブビューをハイフレーム化し（ステップＳ２０２、Ｓ２０３）、広角側へズーミングが行われる。（ステップＳ２０４）
【０１０９】
ＣＰＵ４０は、さらにズームレバー（望遠）／（広角）１０が回されているのが継続されているか否かを検出し（ステップＳ２０５）、継続されていれば、ズームレンズ８１が望遠端に到達したか否かを検出する。（ステップＳ２０６）ズームレンズ８１が望遠端に到達していれば、ズームレンズのズーミングを停止し（ステップＳ２０７）、そうでなければステップＳ２０５へ戻り、ズームレバー（望遠）／（広角）１０が離されたかの検出を継続する。
ステップＳ２０５にてズームレバー（望遠）／（広角）１０が離された場合、ズームレンズ８１のズーミングを停止する。
（ステップＳ２０７）
【０１１０】
ＣＰＵ４０は、ズームレンズ８１のズーミングが停止した後、焦点距離が何ミリかを調べる。（ステップＳ２０８）焦点距離が１０５ｍｍ以上であれば、ライブビューのハイフレーム化を継続したままとし、１０５ｍｍより小さければ、ステップＳ２０１に戻り、ライブビューは、電力消費量を削減するために、ハイフレーム化を行わない。
【０１１１】
以上により、ハイフレームレート化期間をズームレンズのズーミング期間および焦点距離が大きい（画角が狭い）期間とすることで、ハイフレーム化による電力消費量を最小限にし、カメラとしての機能を損なわない高品位なファインダとしてのライブビューを提供する。
また、実施例２では光学ズームとしたが、デジタルズームでも同様である。
【０１１２】
（実施例３）
上述した本実施形態に係るデジタルカメラを好適に実施する実施例３について説明する。
図１１は、実施例３のフローチャートを示す。
本実施例は、撮影者は、レンズを被写体に接近させて接写で撮る必要があるとき、↓／マクロボタン１８を操作し、マクロ撮影モードにしたときに、ハイフレーム化処理を実施する。
【０１１３】
マクロ撮影モードは、フォーカスレンズの移動範囲を非マクロモードよりさらに広げることで、ピント合わせが可能な最短撮影距離を小さくすることができる（たとえばレンズ先端より１ｃｍ）ので、小さな被写体の撮影に用いることができる。
このとき、被写界深度が極端に浅くなるために、ライブビューは手ぶれの影響を受けやすくなる。ライブビューは手ぶれの振動が加味されることで安定感がなくなり、ファインダとしての品位が低下してしまう。
そこで、マクロ撮影モードのような被写界深度が浅い条件にてハイフレーム化処理を行いファインダとしての品位を低下させないように構成した。
【０１１４】
先ず、カメラの電源が投入され、撮影モード時には、必要に応じてライブビューが表示される。電源投入直後のライブビューは、電力消費量を削減するために、ハイフレーム化を行わない。（ステップＳ３０１）
【０１１５】
ＣＰＵ４０は、↓／マクロボタン１８が押下されたことを検出すると、マクロ撮影モードになるが、それに先立ち、動きベクトル検出部５３を用いてライブビューをハイフレーム化し（ステップＳ３０２、Ｓ３０３）、マクロ撮影モードにする。（ステップＳ３０４）
【０１１６】
ＣＰＵ４０は、Ｓ３０２の後にさらに↓／マクロボタン１８が押下されたか否かを検出し（ステップＳ３０５）、押下されていればハイフレーム化を終了し通常撮影モードに戻る（ステップＳ３０６）。
【０１１７】
以上により、ハイフレームレート化期間を被写界深度が浅いマクロ撮影モードの期間（焦点距離変更手段が焦点距離変更しているとき）とすることで、ハイフレーム化による電力消費量を最小限にし、カメラとしての機能を損なわない高品位なファインダとしてのライブビューを提供する。
【０１１８】
（実施例４）
上述した本実施形態に係るデジタルカメラを好適に実施する実施例４について説明する。
図１２は、実施例４のフローチャートを示す。
本実施例では、カメラは風景や建物の撮影時など、水平のとれた画像を撮影したい場合に便利な「電子水準器」機能を搭載している。
図１３は電子水準器機能を用いて水平状態を確認することを説明するための概念図である。この「電子水準器」機能は、画像モニター９に表示される水平インジケーターと水準器音で、画像の水平状態を確認することがでる。
【０１１９】
カメラの傾きは、カメラに内蔵されている２軸以上の加速度センサを利用しており、このセンサをＣＰＵ４０に接続し、ＣＰＵ４０はセンサ出力を検出することで、左右の傾きを判別することができる。
２軸加速度センサは、重力を検出するセンサで、水平方向に置かれていると出力はゼロになり、傾けると重力がかかることでそれに伴う信号を出力する。そこで、これを２つ直交するように配置することで、水平面に対して何度傾いているかを示す絶対値の傾斜センサとして使用することができる。
【０１２０】
また、カメラの電力消費量を減少させるために、電力消費量が大きい画像モニター９の液晶ディスプレイのバックライト部の電力消費量を小さくする「画像モニター節電」機能を搭載している。
【０１２１】
図１４は画像モニター９に表示されるセットアップメニューの概念図である。「画像モニター節電機能」機能は、セットアップメニューで設定することができ、［画像モニター節電］を［ON］に設定すると、画像モニター９を点灯した状態で約５秒間カメラを動かさなかった場合に、節電のためにバックライト部の輝度を落とすことで、画像モニター９の輝度を落とす。その場合、カメラを動かすか、いずれかのボタン押すと元に戻る。カメラが動いたか否かの検出は、上記「電子水準器」機能で実施している。
【０１２２】
本実施例は、電子水準器機能にてカメラが動いたか否かを検出したのは、撮影者が構図決定を行う期間と考え、カメラが動いている期間のみハイフレーム化処理を行うようにした。
【０１２３】
先ず、ＣＰＵ４０は、電子水準器によるカメラの動きを検出すると（ステップＳ４０１）、動きベクトル検出部５３を用いてハイフレーム化されたライブビューを表示し（ステップＳ４０２）、画像モニター節電ＯＦＦになる。（ステップＳ４０３）
【０１２４】
次いで、ＣＰＵ４０は、電子水準器によりカメラの動きが検出されない静止状態であると（ステップＳ４０４）、静止状態が継続して５秒経過したか否かを検出し（ステップＳ４０５）、５秒経過した場合は画像モニター節電ＯＮになり（ステップＳ４０６）、ハイフレーム化を終了する。（ステップＳ４０７）
尚、言うまでもなく静止状態の検出の際の時間を５秒とするのは一態様に過ぎず、所望の時間を設定してもよく、デジタルカメラの利用者が任意の時間を設定できるようにしてもよい。
【０１２５】
以上により、ハイフレームレート化期間を電子水準器機能にて検出されたカメラ非静止時（水準器手段が動作中の期間）、即ち撮影者が構図決定を行う期間とすることで、ハイフレーム化による電力消費量を最小限にし、カメラとしての機能を損なわない高品位なファインダとしてのライブビューを提供する。
【０１２６】
〔第２の実施形態〕
図１５は、本発明に係る撮像装置の第２の実施形態であるデジタルカメラの構成を示す概略外観図である。
図１５においてデジタルカメラ１０３は、本体部１０２と、本体部１０２に着脱可能なレンズ部１０１からなる。デジタルカメラ１０３は、レンズ部１０１と本体部１０２が一体となってデジタルカメラ（撮像システム）としての機能を発揮する。レンズ部１０１は種々のタイプの中から利用者が適宜選択して本体部１０２に装着するものであって、例えば、単焦点レンズのレンズ部１０４ａ（図１５（ａ））や、光学ズームを搭載したレンズ部１０４ｂ（図１５（ｂ））がある。
尚、ここでは図示及び説明を省略するが、上述した第１の実施形態と同様に本実施形態におけるデジタルカメラにおいても、前面には「POWER（電源）ボタン１」、「シャッターボタン２」、「フラッシュ発光部３」、「AF補助光／セルフタイマーランプ４」、「レンズカバー５」、「マイク６」、「スピーカー７」、「レンズ８」が配置されている。また、背面の構成も上述した第１の実施形態と同様であるため、図示及び説明を省略する。
【０１２７】
次に、本発明に係る撮像装置の第２の実施形態であるデジタルカメラの制御系統の構成について、図１６に示すブロック図を参照しながら説明する。尚、上述した第１の実施形態と重複する箇所については一部説明を省略する。
レンズユニットの各部は、全体の動作を中央処理装置（ＣＰＵ）によって統括制御するように構成されている。
レンズＣＰＵは、バスを介してレンズＣＰＵが実行する制御プログラム、設定情報などを記録したフラッシュＲＯＭに接続されており、このフラッシュＲＯＭから制御プログラムを読み出すことによってレンズユニットの各部を制御する。
ＳＤＲＡＭからなるメモリは、レンズＣＰＵの演算作業用領域、画像データ（Ｒａｗ−ＲＧＢ画像データ、ＹＵＶ画像データ、圧縮伸張画像データなど）の一時記憶領域として利用される。
【０１２８】
撮影レンズは、ズームレンズ、フォーカスレンズによって構成されていて、光軸に沿ってズームレンズ、フォーカスレンズ、絞り、シャッタが配置されている。
ズームモータは、ズーム（広角）ボタンおよびズーム（望遠）ボタンに連動して動作し、ズームレンズを広角側、もしくは望遠側へ移動させる。
フォーカスモータは、シャッタレリーズボタンの半押し操作によるオートフォーカスに連動して動作し、フォーカスレンズを至近側、もしくは無限遠側へ移動させる。
アイリスモータは、シャッタレリーズボタンの半押し操作による自動露光に連動して動作し、絞りの開口面積を変化させることにより絞り値を変化させ、撮影レンズから入射する光量を調節する。
シャッタモータは、シャッタレリーズボタンの全押し操作による撮影動作に連動して動作し、通常はシャッタを開くように制御しＣＣＤの信号蓄積を開始し露光（シャッタ）時間経過後に光を遮断するときにシャッタを閉じる。
モータドライバは、各モータに接続している。バスを介してレンズユニットを統括的に制御するレンズＣＰＵに接続されたモータドライバは、レンズＣＰＵからの制御信号に基づいて各モータに駆動パルスを送信する。各モータは、この駆動パルスに応じて回転軸を回転駆動する。
【０１２９】
撮影レンズの背後には、撮影レンズを透過した被写体光を受光面にて結像し光電変換する固体撮像素子（固体撮像素子は、ＣＣＤで構成されており、その受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている）が配置されている。
【０１３０】
撮影レンズを通過した被写体光は、ＣＣＤの各フォトダイオードによって受光され、入射光量に応じた量の信号電荷に変換される。各フォトダイオードに蓄積された信号電荷は、レンズＣＰＵの制御のもとにタイミングジェネレータ（ＴＧ）から与えられる駆動パルスに基づいて、信号電荷に応じた電圧信号（画像信号）として順次読み出され、アナログ処理部（ＣＤＳ／ＡＭＰ）に加えられる。
アナログ処理部（ＣＤＳ／ＡＭＰ）は、入力された画素ごとのＲＧＢ信号をサンプリングホールド（相関二重サンプリング処理）するとともに、増幅し、Ａ／Ｄ変換器に出力する。
Ａ／Ｄ変換器は、アナログ処理部（ＣＤＳ／ＡＭＰ）から出力されたアナログＲＧＢ信号をデジタルＲＧＢ信号に変換して出力し、このデジタルのＲＧＢ信号は、センサ入力制御部へ入力され、Ｒａｗ−ＲＧＢ画像データとしてＳＤＲＡＭに取り込まれる。
【０１３１】
画像信号処理部は、ＳＤＲＡＭに取り込まれたＲａｗ−ＲＧＢ画像データをレンズＣＰＵの指令に従って処理し、輝度信号（Ｙ信号）及び色差信号（Ｃｒ、Ｃｂ信号）へ変換し、ＹＵＶ画像データを生成する。この画像信号処理部は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路なども含まれた画像処理手段として機能する。
圧縮伸張処理部は、画像信号処理部において輝度／色差信号に変換されたＹＵＶ画像データを、所定の圧縮フォーマット（たとえばＪＰＥＧ形式）に従って圧縮した後、再びＳＤＲＡＭに圧縮伸張画像データとして格納する。
【０１３２】
ＡＦ検出部は、１画面を複数のエリア（例えば、１６×１６）に分割し、分割エリアごとにＧ信号の高周波成分のみを通過させるハイパスフィルタ、絶対値化処理部、所定のフォーカスエリア（たとえば、画面中央部）内の信号を切り出すＡＦエリア抽出部およびＡＦエリア内の絶対値データを積算する積算部から構成されている。
ＡＦ検出部で求めた積算値のデータはレンズＣＰＵに通知される。レンズＣＰＵは、モータドライバを介してフォーカスモータを制御し、フォーカスレンズを移動させながら複数のＡＦ検出ポイントで焦点評価値（ＡＦ評価値）を演算し、評価値が極大となるレンズ位置を合焦位置として決定する。
そして、求めた合焦位置にフォーカスレンズが移動するように、フォーカスモータを制御することで、オートフォーカス（ＡＦ）動作をおこなう。
【０１３３】
ＡＥ／ＡＷＢ検出部は、１画面を複数のエリア（例えば、１６×１６）に分割し、分割エリアごとにＲ、Ｇ、Ｂ信号を積算する回路を含み、その積算値をレンズＣＰＵに提供する。
レンズＣＰＵは、ＡＥ／ＡＷＢ検出部から得た積算値に基づいて被写体の明るさ（被写体輝度）を検出し、撮影に適した露出値（撮影ＥＶ値）を算出する。
そして、求めた撮影ＥＶ値と所定のプログラム線図から絞り値とシャッタースピードを決定し、これに従いＣＣＤの電子シャッタとモータドライバを介してアイリスモータを駆動し、絞りを制御して適正な露光量を得ることで、自動露光（ＡＥ）動作をおこなう。
【０１３４】
また、ＡＥ／ＡＷＢ検出部は、自動ホワイトバランス調整時、分割エリアごとにＲ、Ｇ、Ｂ信号の色別の平均積算値を算出し、その算出結果をレンズＣＰＵに提供する。
レンズＣＰＵは、得られたＲの積算値、Ｂの積算値、Ｇの積算値から分割エリアごとにＲ／ＧおよびＢ／Ｇの比を求め、求めたＲ／Ｇ、Ｂ／Ｇの値の、Ｒ／Ｇ、Ｂ／Ｇ色空間における分布等に基づいて、光源種判別を行う。
そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかけることで、オートホワイトバランス（ＡＷＢ）動作をおこなう。
【０１３５】
また、バスには、制御用シリアルＩ／Ｆと、外部バスＩ／Ｆが接続されている。
制御用シリアルＩ／Ｆは、マウント部の接続部（不図示）に設けられた電気接点を介して本体ユニットと接続する。この制御用シリアルＩ／Ｆは、双方向通信が可能な構成となっており、本体ユニットにある各種ボタンの状態などを本体ＣＰＵから受信したり、現在のズームレンズ位置を本体ＣＰＵへ送信したりするときに使用する。
外部バスＩ／Ｆは、マウント部の接続部（不図示）に設けられた電気接点を介して本体ユニットと接続する。この外部バスＩ／Ｆは、レンズユニットから本体ユニットへの一方向通信が可能な構成となっており、画像データを本体ユニットへ送信する時に使用する。例えば、パラレルＩ／ＦやＬＶＤＳＩ／Ｆなど、制御用シリアルＩ／Ｆより高速な転送速度を持っている。
【０１３６】
本体ユニットの各部は、全体の動作を中央処理装置（ＣＰＵ）によって統括制御するように構成されている。本体ＣＰＵは、バスを介して本体ＣＰＵが実行する制御プログラム、設定情報などを記録したフラッシュＲＯＭに接続されており、このフラッシュＲＯＭから制御プログラムおよびカメラ設定データを読み出すことによってレンズユニットの各部を制御する。
ＳＤＲＡＭからなるメモリは、本体ＣＰＵの演算作業用領域、画像データ（ＹＵＶ画像データ、圧縮伸張画像データなど）の一時記憶領域として利用される。
【０１３７】
また、バスには、制御用シリアルＩ／Ｆと、外部バスＩ／Ｆが接続されている。
制御用シリアルＩ／Ｆは、マウント部の接続部（不図示）に設けられた電気接点を介してレンズユニットのシリアルＩ／Ｆと接続し、本体ユニットとレンズユニットの間で色々な制御情報の送受をおこなう。
外部バスＩ／Ｆも同様に、電気接点を介してレンズユニットの外部バスＩ／Ｆと接続し、レンズユニットから送信される画像データを受信し、ＳＤＲＡＭに取り込む。
圧縮伸張処理部は、ＳＤＲＡＭに取り込まれた圧縮伸張画像データを、所定の圧縮フォーマット（たとえばＪＰＥＧ形式）に従って伸張した後、再びＳＤＲＡＭにＹＵＶ画像データデータとして格納する。
【０１３８】
画像モニター信号処理部は、入力されたＹＵＶ画像データの輝度／色差信号を画像モニターの入力信号形式であるＲＧＢ信号へ変換し、画像モニターへ出力する。
これにより、レンズユニットにあるＣＣＤで撮像された画像が画像モニターに表示される。ＣＣＤから画像信号をレンズユニットにて定期的に取り込みＹＵＶ画像データとし、そのＹＵＶ画像データを圧縮して外部バスＩ／Ｆによる伝送路にて定期的に本体ユニットへ送信し、本体ユニットにて受信した圧縮伸張画像データを伸張してＹＵＶ画像データとし、ＳＤＲＡＭ上のＹＵＶ画像データを定期的に書き換え、画像モニターに出力することにより、ＣＣＤで撮像される画像がリアルタイムに表示されるライブビューをおこなう。
撮影者は、この画像モニターにリアルタイムに表示される画像（ライブビュー）を見ることにより、撮影画角を確認することができる。
【０１３９】
メモリカード制御部は、本体ユニットに着脱可能なメモリカード（たとえばＳＤカード）に対して、圧縮伸張画像データを所定の画像記録フォーマット（たとえばＥｘｉｆ形式）をした画像ファイルの読み書きをおこなう。
フラッシュライト制御部は、本体ＣＰＵ、もしくはレンズＣＰＵからから送信されるストロボ発光信号により、フラッシュライトを発光する。
ＵＳＢ制御部は、パソコンなどの外部機器をＵＳＢ端子を介して本体ユニットと接続したＵＳＢ通信を行う。
着脱自在なバッテリは、ＤＣ／ＤＣコンバータ（ＤＣ／ＤＣ）へ電源を供給する。本体ユニット側のＤＣ／ＤＣは、バッテリの電圧を本体ユニットの各部に必要な所定の電圧に降圧、もしくは昇圧する。また、レンズユニット側のＤＣ／ＤＣは、バッテリの電圧をレンズユニットの各部に必要な所定の電圧に降圧、もしくは昇圧する。
また、本実施形態では上述した第１の実施形態と同様の動きベクトル検出部を備える。
【０１４０】
ライブビュー処理を図１７および図１８を使って説明する。図１７はハイフレーム化処理を行わない従来技術による処理を、図１８はハイフレーム化処理を行った場合の処理を示している。
【０１４１】
ＣＣＤＶＤは、レンズユニットにあるタイミングジェネレータ（ＴＧ）から与えられる駆動パルスで、ＣＣＤを駆動する垂直同期信号である。この例では、ＴＧは、１／３０秒のタイミングでＣＣＤへ駆動パルスを与え、ＣＣＤからのデジタルＲＧＢ信号が３０ｆｐｓのフレームレートでＣＣＤから出力されるように駆動している。
【０１４２】
ＤＩＳＰＶＤは、本体ユニットにある液晶モニターに与える駆動パルスで、液晶モニターを駆動する垂直同期信号である。この例では、液晶モニター信号処理部は、１／３０秒のタイミングで液晶モニターへ駆動パルスを与え、液晶モニター信号処理部でＹＵＶ画像データの輝度／色差信号を液晶モニターの入力信号形式へ変換したＲＧＢ信号が、３０ｆｐｓのフレームレートで液晶モニターへ出力されるように駆動している。
本実施例ではＤＩＳＰＶＤとＣＣＤＶＤはお互いに同期させるような仕組みは特に入れていない。
【０１４３】
Ｐ１〜Ｐ９は画像データであり、タイミングチャートの各処理により、前工程からのデータを入力データとして、画像データを処理して出力し、次工程の入力データとなる。ＣＣＤ露光処理ではこの画像データは電圧信号（画像信号）であり、ＣＣＤからの画像信号取り込み、及びＲａｗ−ＲＧＢからのＹＵＶ化処理では、電圧信号をＲａｗ−ＲＧＢ画像データとし、その後ＹＵＶ画像データとなる。その後の工程は全てＹＵＶ画像データとなる。
【０１４４】
図１７のハイフレーム化処理を行わない従来技術の場合を説明する。
Ｔ１〜Ｔ２期間：ＣＣＤの露光を１／３０秒間行い、Ｐ１の電圧信号（画像信号）を得る。
Ｔ２〜Ｔ３期間：センサ入力制御部を介して、ＣＣＤからの画像信号の取り込み処理を行うと同時に、取り込んだＲａｗ−ＲＧＢ画像データＰ１を画像信号処理部へ送り、Ｒａｗ−ＲＧＢ画像データＰ１を処理してＹＵＶ画像データＰ１を生成し、ＳＤＲＡＭに格納する。
このとき、同時にＣＣＤの露光も順次行っており、Ｐ２の電圧信号（画像信号）を得る。このようにＣＣＤの露光処理および画像信号の取り込み処理は１／３０秒単位に連続して行われる。
【０１４５】
Ｔ３〜Ｔ４期間：Ｐ１画像をレンズユニットから本体ユニットへ転送する。ＳＤＲＡＭにあるＹＵＶ画像データは、レンズユニットの圧縮伸張処理部にてＪＰＥＧ圧縮を行う。この圧縮画像データは、レンズユニットと本体ユニットの外部バスＩ／Ｆを介して伝送路を使用して、レンズユニットから本体ユニットへ転送される。
このとき、伝送路には１／３０秒単位で圧縮画像データが流れることになり、画像伝送時間は１／３０秒以内に終わらせないと、次の画像データＰ２を伝送することができなくなるため、これらを満たす伝送路の駆動周波数が必要となる。
次に、本体ユニットへ転送された圧縮画像データは、本体ユニットの圧縮伸張処理部にて伸張処理を行い、ＹＵＶ画像データへの伸張処理を行い、ＳＤＲＡＭへＹＵＶ画像データとして格納される。
【０１４６】
Ｔ４〜Ｔ５期間：本体ユニットの液晶モニター信号処理部は、ＳＤＲＡＭに格納されたＹＵＶ画像データをＲＧＢ信号へ変換し、液晶モニターへ出力して画像データを表示する。
以上の処理を同様に画像データＰ２、Ｐ３・・・と繰り返すことにより、ライブビューを実現している。
【０１４７】
図１７のようにハイフレーム化処理を行わない場合、液晶モニターの表示フレームレートは３０ｆｐｓの性能を持つが、レンズユニットのＴＧ駆動、センサ入力制御部、伝送路は１／３０秒に１回は動作することとなり、これを満たすようにそれぞれの制御部を駆動する必要がある。
消費電力のうち大きな割合を占める撮像素子の駆動周波数および伝送路の駆動周波数を高くする必要があるために、電力消費量も多くなってしまう。消費電力を下げるには、これらの駆動周波数を低くする、もしくは伝送路のデータ量を少なくして動作時間を短くする、のが一番効果的である。
【０１４８】
次に図１８のハイフレーム化処理が行われた場合について説明する。
ハイフレーム化する場合、表示のフレームレートが取り込みのフレームレートの２倍になるため、ＣＣＤの露光処理および画像信号の取り込み処理は、１／１５秒単位で行えば良いので、本実施形態ではＣＣＤＶＤを１／１５秒としている。
【０１４９】
Ｔ１〜Ｔ３期間：ＣＣＤの露光を１／１５秒間行い、Ｐ１の電圧信号（画像信号）を得る。
Ｔ３〜Ｔ５期間：センサ入力制御部を介して、ＣＣＤからの画像信号の取り込み処理を行うと同時に、取り込んだＲａｗ−ＲＧＢ画像データＰ１を画像信号処理部へ送り、Ｒａｗ−ＲＧＢ画像データＰ１を処理してＹＵＶ画像データＰ１を生成し、ＳＤＲＡＭに格納する。
このとき、同時にＣＣＤの露光も順次行っており、Ｐ３の電圧信号（画像信号）を得る。ＣＣＤの駆動周波数を３０ｆｐｓの時と比較して１／２としたために、電力消費量は少なくなる代わりに、ＣＣＤからの画像信号取り込み時間は２倍となってしまう。
【０１５０】
Ｔ５〜Ｔ７期間：Ｐ１画像をレンズユニットから本体ユニットへ転送する。ＳＤＲＡＭにあるＹＵＶ画像データは、レンズユニットの圧縮伸張処理部にてＪＰＥＧ圧縮を行う。この圧縮画像データは、レンズユニットと本体ユニットの外部バスＩ／Ｆを介して伝送路を使用して、レンズユニットから本体ユニットへ転送される。
このとき、伝送路には１／１５秒単位で圧縮画像データが流れることになる。画像伝送時間は後述するハイフレーム化処理との兼ね合いで、動作周波数を３０ｆｐｓと比較して半分としてしまうと、その分表示までの時間もかかることとなり、あまり望ましくない。しかし、伝送路の動作時間は３０ｆｐｓの時と比較して１／２となる。
次に、本体ユニットへ転送された圧縮画像データは、本体ユニットの圧縮伸張処理部にて伸張処理を行い、ＹＵＶ画像データへの伸張処理を行い、ＳＤＲＡＭへＹＵＶ画像データとして格納される。
このとき、同時にＰ３画像データのＣＣＤからの画像信号の取り込み処理と、取り込んだＲａｗ−ＲＧＢ画像データＰ３を画像信号処理部へ送り、Ｒａｗ−ＲＧＢ画像データＰ３を処理してＹＵＶ画像データＰ３を生成し、ＳＤＲＡＭに格納する。
【０１５１】
Ｔ７〜Ｔ９期間：Ｐ３画像をレンズユニットから本体ユニットへ転送し、ＹＵＶ画像データＰ３を得る。
本体ＣＰＵは、ＹＵＶ画像データＰ１およびＰ３を使用して、前述した動きベクトル検出処理と補間フレーム画像生成処理を行い、補間フレーム画像データＰ２’を生成する。
本体ユニットの液晶モニター信号処理部は、ＳＤＲＡＭに格納されたＹＵＶ画像データＰ１、Ｐ２’、Ｐ３をＲＧＢ信号へ変換し、ＤＩＳＰＶＤのタイミングにて順次液晶モニターへ出力して画像データを表示する。
以上の処理を同様に画像データＰ５、Ｐ７・・・と繰り返すことにより、ライブビューを実現する。
【０１５２】
図１８のようにハイフレーム化処理を行った場合、入力される画像（Ｐ１、Ｐ３、Ｐ５・・・）のフレームレートを低下させて、ＣＣＤ駆動周波数を低下させ、かつ伝送路の動作時間を低下させて電力消費量を削減しながらも、液晶モニターの表示フレームレートはハイフレーム化により３０ｆｐｓのライブビューを提供することができる。
尚、以上説明した第２の実施形態においては、上述したハイフレーム化処理にかかる実施例１〜４がいずれも適用できるものである。
【０１５３】
以上、本発明の好適な実施形態により本発明を説明した。ここでは特定の具体例を示して本発明を説明したが、特許請求の範囲に定義された本発明の広範囲な趣旨および範囲から逸脱することなく、これら具体例に様々な修正および変更を加えることができることは明らかである。
【符号の説明】
【０１５４】
１  ＰＯＷＥＲボタン
２  シャッターボタン
３  フラッシュ発光部
４  ＡＦ補助光／セルフタイマーランプ
５  レンズカバー
６  マイク
７  スピーカー
８  レンズ
【先行技術文献】
【特許文献】
【０１５５】
【特許文献１】特開２００４−１５５９５号公報
【特許文献２】特開２００７−１１０３１４号公報
【特許文献３】ＷＯ  ０４／１１２３９６
【図１】
2011030084.tif 000003
【図２】
2011030084.tif 000004
【図３】
2011030084.tif 000005
【図４】
2011030084.tif 000006
【図５】
2011030084.tif 000007
【図６】
2011030084.tif 000008
【図７】
2011030084.tif 000009
【図９】
2011030084.tif 000010
【図１１】
2011030084.tif 000011
【図１２】
2011030084.tif 000012
【図１５】
2011030084.tif 000013
【図１６】
2011030084.tif 000014
【図１７】
2011030084.tif 000015
【図１８】
2011030084.tif 000016
【図８】
2011030084.tif 000017
【図１０】
2011030084.tif 000018
【図１３】
2011030084.tif 000019
【図１４】
2011030084.tif 000020